(57)【要約】【課題】  露光エネルギのために、種々のＬＥＤアレイ（３２）を使用する光源（２０）を用い、光感受性媒体（１４０）上にデジタル画像をプリントするためのプリンティング装置（１００）に関する。【解決手段】  プリンティング装置（１００）は、連続的な調節により、一時に一つの色のプリント画像を形成してもよく、あるいは、同時にすべての色を使用してもよい。分離したＬＥＤ（３２）の配置は、放物型リフレクター（６５）又はコリメーターレンズ（３６）を伴って、多重化コーン構造（１４１）として配置された、集光コーン（４１）により成形された高密度装置を含んでもよい。大面積ＬＥＤ（４６）は、代替的に、例えば、傾斜した取り付け表面上に配置され、使用されてもよい。【選択図】  図１８
2004220027.tif 000002
【特許請求の範囲】
【請求項１】
照射軸に沿って照射ビームを供するための向上された光源において：
（ａ）放射光を発生するように、ベース上に取り付けられた複数の大面積ＬＥＤ；及び
（ｂ）前記照射ビームを形成するように、前記の複数の大面積ＬＥＤ由来の前記放射光を集光するための集光構造；
を備えており、該集光構造は：
各ＬＥＤに関し、入力部において、前記ＬＥＤから受光した前記放射光を集光し、かつ前記放射光を前記照射軸に沿って出力部へと指向するための光導波路を備え、該光導波路は：
（ｉ）  コリメートされた光を前記照射軸の方向へと投射するように、前記放射光の一部をコリメートするための、前記入力部近傍のコリメーター要素；及び
（ｉｉ）  前記入力部における前記放射光のその他の一部を、前記照射軸に沿って、前記出力部へと投射するためのガイド要素；
を備え、少なくとも一つの第１の前記光導波路の前記出力部は、少なくとも一つの第２の前記光導波路の前記出力部に対して接するように、少なくとも一つの平坦端部を有している；
ことを特徴とする光源。
【請求項２】
前記大面積ＬＥＤは、一種類以上の色を含んでいることを特徴とする、請求項１に記載の向上された光源。
【請求項３】
前記光導波路は、前記入力端部において、より狭いコーンセグメントであることを特徴とする請求項１に記載の向上された光源。
【請求項４】
前記光導波路は、ガラス又はプラスティックを備えた群により作られることを特徴とする請求項１に記載の向上された光源。
【請求項５】
前記ベースは曲げられていることを特徴とする請求項１に記載の向上された光源。
【請求項６】
前記ベースは、複数の傾斜した表面を備えていることを特徴とする請求項１に記載の向上された光源。
【請求項７】
対応する光導波路を有していない少なくとも一つの追加ＬＥＤをさらに備えている請求項１に記載の向上された光源。
【発明の詳細な説明】
【技術分野】
【０００１】
本発明の装置及び方法は、一般に、デジタルデータに由来する画像を光感受性媒体上に形成するための書込手段に関し、更に特に、画像を光感受性媒体上に記録するための、ＬＥＤを使った改良された光源に関する。
【背景技術】
【０００２】
デジタル画像化の到来により、印画紙や映画フィルムなどの光感受性媒体上に画像化するため、数々の異なる書込技術が使用されてきている。初期のプリンターは、この光感受性媒体上に露光エネルギを供するため、陰極線管（ＣＲＴ）を適用した。ＣＲＴを基礎としたプリンターでは、デジタル画像データは、かかるＣＲＴを調節するために使用され、リン光発光スクリーンに沿って、改変可能な強度の電子ビームを走査することにより、露光エネルギを供する。いくつかの画像化適用に関してＣＲＴを基礎とした画像化が適切な解決を供する一方、解像度及びコントラストの制限と同様に、高いコスト及び比較的低スピードは、この手法の有用性を制限している。
【０００３】
代替的なライター（ｗｒｉｔｅｒ）は、特許文献１に開示されているレーザーをベースにした書込エンジンなどのレーザーを使用している。この画像化のタイプに関し、赤、緑及び青色レーザーは、露光エネルギを供する。かかるビームは、画像化平面上に回転するポリゴンにより走査されるので、デジタルデータは、レーザー強度を調節するために使用される。残念ながら、ＣＲＴプリンターに関し、レーザーを基礎にしたシステムは、高価となる傾向にある。これは、特に、青色及び緑色レーザーがいまだ高価であるためである。加えて、望ましくないアーティファクトを生じることなく、画像の正確な再現性に必要な十分に低いノイズレベルと安定した出力を有するコンパクトなレーザーは、広く利用可能ではない。レーザーが高出力適用のための利点を供する一方で、それらは、常套的な印画フィルムや紙媒体の相互関係特性によく適合されていない。したがって、レーザー露光エネルギを使った画像化には、特別な媒体がしばしば必要とされている。
【０００４】
現存するデジタル画像化システムの速度、コスト、及び性能は、いくつかのタイプの光感受性媒体を伴ったかかるシステムの利用を制限している。これらの問題は、映画フィルムを印刷する際必要な高速度ラスタープリンティング適用において特に顕著となる。ＣＲＴプリンターは、例えば、１フレーム当たり数秒の露光時間が必要である。市販で利用可能なラスターレーザープリントシステムは、より高速であるが、１フレーム当たり３から１０秒をいまだ必要としている。しかしながら、市販で入手可能な全長を網羅したフィルムのデジタルマスタリングに関しては、単位秒当たり少なくとも２フレームの印刷速度が必要とされている。リアルタイムな速度にてフィルムを書き込むことは、１秒当たり２４から３０フレームのより有意に良好な処理能力が必要である。ここに示した図が示しているように、この１秒当たり２４から３０フレームという速度は、常套的なＣＲＴ及びラスター画像化手法を使ったレーザー技術の到達範囲外となってきている。
【０００５】
また、プロジェクター及びディスプレイに関して独自に開発される一方で、二次元空間光モジュレーターは、書込適用に関して裏づけを示している。ＣＲＴ及びレーザーポリゴン装置におけるより低速のラスター走査型エネルギ源とは異なり、空間的な光モジュレーターは、一定時間における完全な画像フレームのための露光エネルギを供する。本質的に、光弁要素の二次元アレイでピクセルに対応した各アレイで、各画像ピクセルの分極化状態を選択的に反映し、変更することにより、この空間的光モジュレーターは、制御する。標準的なタイプの空間的光モジュレーターは、デジタルマイクロミラー装置（ＤＭＤｓ）及び液晶装置（ＬＣＤ）を有している。
【０００６】
特許文献２に示されているようなＤＭＤにより解決法は、レーザー／ポリゴンライターと比較して、より長い露光時間などの利点を与える。このことは、短時間の光露光中における光感受性媒体に関連づけられた相互に関連した問題の軽減に寄与している。しかしながら、ＤＭＤ技術は、効果であり、広く利用可能ではない。さらに、ＤＭＤ類は、プリンター適用例において十分高い解像度を得ることができず、より高い解像度へと容易に極めることができない。
【０００７】
ＬＣＤタイプの空間光変調装置は、各画像ピクセルの分極化を選択的に変更することにより調節する。ＬＣＤのタイプは、透過型及び反射型を含む。両タイプの装置は、画像化システムにおいて使用されてきた。例えば、特許文献３や特許文献４は、透過型ＬＣＤを用いて画像を形成するプリンティング装置を開示している。しかしながら、常套的な透過型ＬＣＤ技術を使用するには、いくつかの障害がある。回路トレースや部材に必要な空間ゆえ、透過型ＬＣＤ変調装置は、一般に、アパチャー比率が減少している。ガラス上への透過性の電界効果型トランジスター（ＴＦＴ）技術は、多くのプリンティング適用及びフィルムレコーディング適用に必要なピクセル間の十分な単一性を供さない。さらに、向上された解像度に関して多くのピクセル数を供するのに必要な透過型ＬＣＤ装置の大型の設置面積（ｆｏｏｔｐｒｉｎｔ）は、プリンティング又はフィルムレコーディング適用例にデザインされた工学システムの一部として非拡大的に必要であることがわかる。結果として、透過型技術を用いた多くのＬＣＤプリンターは、低い解像度を小さなプリントサイズの両方を制限されることになる。
【０００８】
対照的に、反射性ＬＣＤ変調装置は、優れた性能を供し、かつ、このプリンティングシステムのコストを有意に減少させる。個々のピクセルシフトの露光時間を、１０ナノ秒から１０ミリ秒へと、１０倍増加させる。これは、各ピクセルに関するアパチャーサイズの増加とともに、露光時間を増加させ、短時間の露光時間に起因して起こる媒体の相互関係のその他の問題を起こすことなく、単位時間当たり２フレーム以上ライター処理能力の標準的な増加を許容している。
【０００９】
透過型及び反射型ＬＣＤ類の両者には、限度が存在する。しかしながら、特に反射型ＬＣＤ類の場合、装置性能は向上し続け、プリンター適用において、反射型ＬＣＤ類を使用することは利点を有している。
【００１０】
ＬＣＤ類は、種々のソースに由来する光を調節する。常套的なプリンターは、光源としてランプを使用する。しかしながら、ランプは、高速でのプリンティングに関し、十分な出力動力レベルを供することが可能であるが、高レベルの熱やＩＲ発生などの特有の制限を有している。加えて、ランプ類は、高速プリント適用に十分な率にて、点灯及び消灯を切り替えることができない。上述の理由ゆえ、レーザーは、光媒体に書込むためには、若干理想的ではない。加えて、レーザー源は、斑点などの望ましくない干渉性光効果を示す。プリンターにおいて、一定の成功度合いを以て、発光ダイオード（ＬＥＤ）を使用しているが、向上の余地をかなり残している。
【００１１】
画像化技術においてよく認識されているのは、ＬＥＤは、書込適用を考慮してデザインされていないということである。ディスプレイ適用の使用される可視光の常套的な製造において、ＬＥＤは、高い角拡散（ａｎｇｕｌａｒ  ｄｉｖｅｒｇｅｎｃｅ）にて標準的な輝度レベルを供すべくデザインされる。これらは、ディスプレイ機能の本質的であると特徴づけられるので、ＬＥＤは、ヒトの視覚的反応性に関連した輝度やその他の測光的特徴に関して製造者に指定されている。通常、ルーメンやカンデラにて与えられるＬＥＤ光源の測光的評価は、フィルム露光の最適性に関連して、非常に低い有益な情報を与えるのみである。
【００１２】
光感受性媒体上に書き込む場合、最も興味のあるものの一つである光源の特徴は、測光性よりもむしろ放射性である。例えば書込波長は、可視光領域を必要としない；非常に短く紫外波長近傍や赤外波長よりも長い光を使用することに利点がある。例えば、書込速度は、輝度よりもむしろ、（典型的に単位立方センチメーターステラジアン当たりのワット数にて表示される）放射輝度の機能である。ディスプレイの目的に有益なＬＥＤに由来する光の高い角拡散は、高い解像度及び高速を達成するのに、狭い放射角及び小さい放射領域が最も良好に機能する場合、書込目的に関しては、弊害をもたらす。高い輝度のディスプレイＬＥＤに常套的に供される主波長の規格は、光感受性媒体に書き込むのに必要な特徴の展望に由来して誤解を生じる可能性がある。実際のピーク放射波長は、ヒトの視覚に受け入れられる主波長に由来して実質的に変化可能である。
【００１３】
（光感受性媒体の特徴）
上述したように、ＬＥＤは、主として、種々のディスプレイ適用に使用すべく、ヒトの視覚に可視的にデザインされている。しかしながら、ディスプレイの可視性のためのデザインは、しばしば、光感受性媒体の露光のための必要性と矛盾を生じる。図３を参照すると、映画印刷に使用されるカラーの中間フィルムのタイプに関して、スペクトルの感受性と単位カラー層当たりの波長との関係を表す代表的なグラフを示している。縦軸は、ログスケールである。したがって、ゼロなる値は、１ｅｒｇ／ｃｍ２に対応している；１なる値は、０．１ｅｒｇ／ｃｍ２なる露光レベルに対応している；−１なる値は、１０ｅｒｇ／ｃｍ２なる露光レベルに対応している。比較するため、ヒトの眼の明反応を示す標準化曲線を、この光感受性媒体のスペクトルの感受性のグラフ上に重ね合わせている。図３のグラフが示すように、全波長にわたる光感受性媒体の反応とヒトの眼の反応との間には実質的な差が存在する。ヒトの眼は、いくつかのスペクトルの部位において、色調強度や色調の繊細な変化に対して増大された反応を有している。例えば図３に示すように、赤色層に関する感受性は、青色層に対しておよそ１／１００である。
【００１４】
光感受性媒体の色反応特性は、いくつかのスペクトルの範囲内において、しばしばヒトの眼の反応と異なっている。例えば、フィルム露光に関する理想的な青色波長は、約４５０ｎｍであり、これは、青色曲線のピーク近傍であり、かつ緑色曲線の最小値近傍である。しかしながら、ヒトの眼の可視性に関し、４８０から４９０ｎｍがより好ましい。しかしながら、図３に示したフィルム感受性に関し、４９０ｎｍの露光は、適切ではない。なぜなら、一定の度合いで緑色及び青色層の両方に影響を及ぼすからである。同様に、赤色層に関し、かかるフィルムの最適な波長は、６８５から６９５ｎｍ領域にある。しかしながら、この波長は、可視スペクトルの端部に非常に近接しているので、感知することがむずいかしいかもしれない。典型的に６２５ｎｍ近傍の主波長を有する赤色ＬＥＤは、信号機やその他の可視化への使用に最適である。しかしながら、フィルム露光に関し、この波長は、６９０ｎｍの場合に必要とされるよりも、およそ４倍の光量が必要である。したがって、波長に関する光感受性媒体の感受性は、初期的にデザインされたＬＥＤに関し、ヒトの眼の反応と干渉する可能性がある。
【００１５】
明らかに、ディスプレイの光源としてＬＥＤに必要とされるのと、光感受性媒体上に画像化するために光源として必要とされるものとの間には、有意な差異が存在する。ＬＥＤは、ディスプレイ適用に初期的に開発されていたので、これら装置を高速書込手段に適用するには、特別な技術が必要とされている。
【００１６】
（ＬＥＤ組成物及び特徴）
図１ａ、１ｂ及び１ｃは、それぞれ、表示ランプやその他のディスプレイ適用に使用されている分離しカプセル化された常套的なＬＥＤの構造に関して、上方、側方及び断面透視図を示している。図１ａを参照すると、ボンドワイヤー２７は、ＬＥＤチップ２５上の電極３０に結合されている。典型的な装置において、分離したＬＥＤ３２は、１２０から１５０μｍの範囲の径を有する電極を伴って、約２００から２５０μｍの寸法である。必要に応じて、電極３０は、所望の放射方向に対して、分離したＬＥＤ３２の発光領域の実質的な部分を覆っている。ＬＥＤチップが基板２９にハンダ付けされている図１ｂを参照すると、ＬＥＤ光に関し、好ましい放射方向が示されている。しかしながら、図１ｂに示したように、ＬＥＤチップ２５の端部からは、所望しない方向へとかなりの光量が放射されている。例えばこれは、かかるハンダの反射効果や電極３０自体の反射性に起因している。また、ボンドワイヤー２７は、一定量の光量をブロックする。これら端部から放射される光を集光し利用することは困難である。事実、電極３０の位置ゆえ、少量の光量のみが所望の軸に沿って実際に放射される。それ自身の光軸は、オフ軸領域よりも暗くてもよい。
【００１７】
図１ｃに示した分離したＬＥＤ３２の断面を参照すると、ＬＥＤチップ２５は、反射キャップ２４の内部に配置され、所望しない側方向へ放射される一定の光を集光し、かつ、所望の方向へと垂直的にかかる光の指向を補助している。常套的な分離したＬＥＤ３２は、エポキシドームレンズ２８にカプセル化されており、所望の方向に光を指向するのに貢献している。駆動電流は、陽極リード２１から供給され、シンゴールドボンドワイヤー２７を介して、その後、ＬＥＤチップ２５を介して、陰極リード２３へと至っている。冷却に関し、伝達及び熱放射は無視することができる。代わって、分離したＬＥＤ３２内部にて発生した熱は、陰極リード２３により分離ＬＥＤ３２から処理されなければならない。高い熱抵抗性は、全体のＬＥＤ出力及び装置の寿命を減少させる。
【００１８】
図１ａ、１ｂ、及び１ｃに示されているように、分離したＬＥＤ３２に使用される常套的なデザイン手法は、多くのディスプレイ適用に受容可能である。しかしながら、上述の記載にて示したように、光感受性媒体の感受反応特性及び常套的な分離されたＬＥＤ３２デザインの障害に起因して、常套的な手法は、比較的非効率的であり、書込適用にはあまり良好に適合されていない。分離したＬＥＤ３２装置のデザインには、いくつかの改善を行ってもよい。例えば、図２ａ及び２ｂに参照すると、分離したＬＥＤにおいて向上されたデザインに関する情報及び側方図をそれぞれ示している。ここで、二つの電極３０は、ＬＥＤチップ２５の耐画線の角に配置されており、これにより、常套的な分離したＬＥＤ３２の軸上の暗いスポットを消失させ、光軸の所望の方向に放射される発光が増加されている。加えて、駆動電流は、図２ａ及び２ｂの配置において、ＬＥＤチップ２５内に均一に分布されている。しかしながら、熱の発生は、図２ａ及び２ｂにおけるデザインの解決では、十分に解決されていない問題として残存している。
（ＬＥＤのグループ化に関する解決）
分離したＬＥＤ３２からの露光エネルギについてより高いレベルを得るための一つの方法は、分離した多重的ＬＥＤ３２を互いにグループ化することである。比較的小さいサイズの分離したＬＥＤ３２部材は、いくつかの制限があるが、この手法に使用可能である。図４ａを参照すると、複数の色彩を配置した、分離したＬＥＤ３２の３×３アレイの一つの例を示している。ＬＥＤマウントプレート３１上に組み立てられた分離したＬＥＤのアレイは、分離したＬＥＤ源を使用する利点がある場合、増加した輝度を供するために配置されてもよい。図４ａに示すように、かかる光感受性媒体が露光されるスペクトルの感受性に基づいて、種々のパターンにて、分離したＬＥＤ３２を配置し、かつ、複数の色彩の分離したＬＥＤ３２を比較的多く保持することは利点がある。
【００１９】
典型的な書込装置において、かかる照射システムのアクセプタンスコーンアングル（ａｃｃｅｐｔａｎｃｅ  ｃｏｎｅ  ａｎｇｌｅ）は、ＬＥＤ３２がＬＥＤマウントプレート３１上に配置されてもよい領域内にて同定する。実用的には、適切な照射光学器は、典型的に、約ｆ／４なるアクセプタンスコーンアングルを有している。例えば、１００ｍｍの焦点距離を有する２５ｍｍ径の色消しレンズを使用するなどの、常套的なレンズ組成物及びデザイン手法に関し、このことは、利用可能領域を制限し、ＬＥＤを約１インチ四方内に配置する必要がある。
【００２０】
単純な光円錐幾何学ゆえ、図５ａ及び５ｂに関して示したように、狭い照射アパチャー内部に多重的な分離したＬＥＤ３２を設けるのに、光効率性に対していくつかの制限が存在する。図５ｂでは、分離したＬＥＤ３２は、照射光学器に関して、コリメーターレンズの光学的アクセプタンスコーンアングルを超えて、全体のＬＥＤ分散角度を有する光を放射する。分離したＬＥＤ３２からの発光の消耗した光部分３５は、アクセプタンスコーンアングル３４の外部オプティクス（ｏｕｔｅｒ  ｏｐｔｉｃｓ）に横たわっており、したがって、プリンティング装置には使用することができない。図５ａに示すように、多重的な分離されたＬＥＤ３２が配置される場合、また、かかる放射コーンアングルがかかる工学的アクセプタンスコーンアングルよりも小型である場合でさえ、かなりの使用されてない光がいまだ存在していてもよい。ここで、ＬＥＤマウントプレート３１の周辺の上の分離されたＬＥＤ３２は、使用されない光量が増加し、分離されたＬＥＤ３２が中央に配置されるよりも多く、より大型の浪費部分３５が分布するようになる。したがって、単純に分離したＬＥＤ３２密度を増加させることは、増大された露光エネルギを供するのに制限を有することになる。より小型の分離したＬＥＤ３２部材を使用するという解決法は、露光エネルギに関し標準的な増加を供する可能性があるが、角拡散に起因して同様の非効率性を指向することになる。
【００２１】
十分な露光エネルギを供するための代替的な手法は、図７ａ及び７ｂに示すように、パターン化された電極を有する大面積ＬＥＤ装置を使用することである。この手法は、比較的小型の照射領域から、分離したＬＥＤ３２のアレイの等価なエネルギを供する。コンパクトな大面積ＬＥＤ装置の市販例は、例えば、カリフォルニア・サンノゼにあるＬｕｍｉＬＥＤ  Ｌｉｇｈｔｉｎｇ，  ＬＬＣからし版されているＬｕｘｅｏｎ  Ｓｔａｒ  Ｄｅｖｉｃｅや、北カリフォルニア・ＤｕｒｈａｍにあるＣｒｅｅ，  Ｉｎｃからし版されている同様の部材を含む。図７ａを参照すると、パターン化された電極ＬＥＤ１３４の大面積ＬＥＤ装置の一つのタイプは、所望の方向への放射を実質的に遮断することなく、ＬＥＤチップ２５を介して単一に電流を伝播するパターン化された電極４０を有している。図７ｂは、パターン化された電極ＬＥＤ１３４の側面図を示している。比較するため、パターン化された電極ＬＥＤ１３４を使用したＬＥＤチップ２５は、端部において約２ｍｍであり、常套的な分離されたＬＥＤ３２に使用されている標準的なＬＥＤチップ２５の長さの１０倍である。しかしながら、パターン化された電極ＬＥＤ１３４は、単一レンズにより十分にコリメートされるのに十分小型である。標準的な小型レンズアレイは必要とされない。
【００２２】
図８ａは、Ｌｕｘｅｏｎ  Ｓｔａｒ  Ｄｅｖｉｃｅなどのパターン化された電極ＬＥＤ１３４の製造方法について、より詳細に示している。大面積ＬＥＤ４６は、金属製ヒートシンク４８上に取り付けられ、外部的に電気リード４３により、かつ内部的にボンドワイヤー２７に接続されている。かかる装置は、透明なプラスティック製レンズ１２８により覆われている。図８ｂに示すように、パターン化学された電極ＬＥＤ１３４に由来する光強度を増加すべく、補助集光オプティクスを加えてもよい。プラスティック製鋳造部材などの集光コーン４１は、光導波路として機能し、発光を指向するためのコリメート及び反射性オプティクスの両方を供している。集光コーン４１は、より狭い角放射を供すべく、その入力端部において受光した発光をコリメートするのを補助すべく、一体的に鋳造されたコリメーターレンズ３６を備えている。加えて、プリズム構造としての集光コーン４１は、より広い角放射を再指向するのを補助すべく、内部全反射（ＴＩＲ）を使用して、ガイドエレメントとして作用する。パターン化された大面積電極ＬＥＤは、フィルム画像化適用のための光源を供し、相対的に高い放射輝度、高出力、小さい放射角度及び小さい源領域を供し、並びに熱発生及び軸上の「デッドスポット」欠損のための傾向を軽減する方向へと向かっているということが理解される。
【特許文献１】米国特許第４，７２８，９６５号明細書
【特許文献２】米国特許第５，４６１，４１１号明細書
【特許文献３】米国特許第５，６５２，６６１号明細書
【特許文献４】米国特許第５，７０１，１８５号明細書
【発明の開示】
【発明が解決しようとする課題】
【００２３】
クラスター化ＬＥＤや集光コーン４１とパターン化電極ＬＥＤ１３４とを組み合わせるなどの解決法が、ＬＥＤ源からの露光エネルギの高いレベルを達成するためのいくつかの向上性を供する一方、有意な困難性が残存することも理解することができる。有効な速度にてプリンティングするための十分な露光エネルギを供するために、より大きな照射エネルギが必要である。しかしながら、同時に、このエネルギは、制限された領域内部に由来して、低い拡散角度にて、小型の源から放射されるべきである。
【００２４】
常套的な手法は、現在、書込速度を約１フレーム／秒以上へと増加させることを可能としている。しかしながら、商業用の実行可能性は、２４フレーム／秒に近づく速度を要求している。露光エネルギの増加は、直接書込速度の増加可能性へと言い換えるので、増加された露光エネルギを供する増加する恒常性は有用であり、必要な領域制限及び拡散角度の制限を供する。
【００２５】
したがって、光感受性媒体上に高速にてプリンティングすることが可能な向上されたプリンティング機器及び高密度ＬＥＤ照射を利用する必要性が存在する。
【課題を解決するための手段】
【００２６】
本発明は、照射軸に沿って照射ビームを供するための向上された光源を供しており：
（ａ）放射光を生成するように、ベース上に取り付けられた複数の大面積ＬＥＤ；及び
（ｂ）照射ビームを形成するように、複数の大面積ＬＥＤからの発光を集光するための集光構造；
を備えており、前記集光構造は：
各ＬＥＤに関し、入力部において、前記ＬＥＤから受光した前記放射光を集光し、かつ前記放射光を前記照射軸に沿って出力部へと指向するための光導波路を備え、前記光導波路は：
（ｉ）  コリメートされた光を前記照射軸の方向へと投射するように、前記放射光の一部をコリメートするための、前記端部近傍のコリメーター要素；及び
（ｉｉ）前記入力部における前記放射光のその他の一部を前記出力部へと前記照射軸に沿って投射するためのガイド要素；
を備え、少なくとも一つの第１光導波路の前記出力部は、少なくとも一つの第２光導波路の前記出力部に対して接するように、少なくとも一つの平坦端部を有している；
ことを特徴としている。
【００２７】
本発明の特徴の一つは、光感受性媒体の感受性特性に基づいて、異なる波長を有する多重化ＬＥＤを配置することである。本発明における装置及び方法は、フィルム及びその他の光感受性媒体に書き込むために適切な方法にて、これら装置を経常化する一方、ＬＥＤ部材に関するいくつかの特徴及び提供可能性なる利点を与える。例えば、本発明は、狭バンドの放射、相対的に高い効率、速いスイッチング率、相対的に低いコスト、小型サイズ、最小限の熱及びＩＲ放射なる利点を得ている。
【００２８】
本発明の利点の一つは、ＬＥＤ源を使用して、複数の配置物及び光学的支持部材を使用し、プリンティングに利用可能な光エネルギ量を増加させることである。
【００２９】
本発明のさらなる利点の一つは、露光光源として使用されるＬＥＤなる配置物をコンパクトにすることができる点である。
【００３０】
本発明におけるこれら、その他の特徴、及び利点は、本発明の例示的な実施例に示され、述べられている図と組み合わせて、以下の詳細な記述を読むことにより当業者に明らかになるだろう。
【００３１】
明細書は、本発明における手段を特に指摘し、直接区別して特許請求する一方、本発明は、添付した図面と組み合わせて以下の記述により、より理解されるであろうことを信じている。
【発明の効果】
【００３２】
本発明は、狭バンドの放射、相対的に高い効率、速いスイッチング率、相対的に低いコスト、小型サイズ、最小限の熱及びＩＲ放射なる利点を得ている。
【発明を実施するための最良の形態】
【００３３】
この記述は、本発明に従った装置の一部を形成する要素、又は直接組み込まれたものに関連している。理解すべきは、特別示しあるいは述べていない要素は、当業者公知の種々の形状を用いてもよいということである。
【００３４】
図１８は、映画印刷フィルムなどの、光感受性媒体１６０上にプリンティングするためのプリンター装置１００を図示的に示している。プリンター装置１００は、光学組立品１０及び媒体処理サブシステム２１２を備えている。媒体処理サブシステム２１２は、フィルムサプライ２０２、露光部分２０４、及びフィルム保存ユニット２０８を備えている。制御論理プロセッサー２１０は、プリンター装置１００における画像データを受け入れ処理し、かつ、光学組立品１０及び媒体処理サブシステム２１２部材の全体の動作を制御する。プリンター装置１００の動作は、他のプリンタータイプに使用されている一般的なパターンに従っている。プリントするべく、光感受性媒体１６０の非露光部分は、フィルムサプライ２０２から露光部分２０４へと進行される。光学組立品１０は、制御論理プロセッサー２１０と協調して、光感受性媒体１６０上に画像データをプリントする。その後、光感受性媒体１６０の露光部分は、画像を現像するために、処理用として準備されている。
【００３５】
光学組立品１０の内部には、画像を形成し、光感受性媒体１６０上に画像を集束するための部材が存在している。光源２０は、好適実施例におけるＬＥＤにおいて、可能な色彩のセットのうちの一つを有する単色光を分極ビームスプリッター１６へと投射し、スプリッター１６は、適切な分極状態にある光を空間光変調器１４へと投射する。空間光変調器は、投射光の分極状態を調節して画像を形成し、調節された光を反射し、その後、集束オプティクス１８によって露光部分２０４へと集束される。単一化オプティクス１２は、空間光変調器１４による調節のための単一フィールドを供すべく、光源２０からの光を均質化する。
【００３６】
本発明に関し、光源２０は、光感受性媒体１６０の高速度処理のために十分な露光エネルギを供するべく配置されたアレイにてＬＥＤ源の組合せを使用する。ここに述べられている種々の実施例に示すように、光源２０でのＬＥＤ源は、すべて同色としてもよい。代替的に、光源２０でのＬＥＤ源は、光感受性媒体１６０の連続フレームを露光すべく分離した励起された異なる色であってもよい。図３に示すように、種々の波長への光感受性媒体１６０の感受性は、光源２０デザインにおいて重要な要素である。上述した背景技術のように、光源２０は、約１インチ四方の効果的な照射領域を有している。高速度性能に関する重要な目標は、光感受性媒体１６０の露光のため、光源２０から最大ラジアンスを供することである。
【００３７】
図１３を参照すると、連続的な画像化のためのプリンティング装置のための代替的なデザイン手法を示しており、この中で、すべての色調のための単一変調器の使用を分離して、光源２０は、任意で一般の照射軸に沿って、ＬＥＤ源のアレイの一つ以上を使用してもよい。第１の定期的な繰り返し時間間隔の間、赤色ＬＥＤアレイ６０は、照射軸Ｉに沿って照射源（ｉｌｌｕｍｉｎａｔｉｏｎ  ｓｏｕｒｃｅ）を供する。第２の定期的な繰り返し時間間隔の間、緑色及び青色ＬＥＤアレイ６１由来の緑色光は、照射源を供する。同様に、第３の定期的な繰り返し時間間隔の間、緑色及び青色ＬＥＤアレイ６１由来の青色光は照射源を供する。二色性ミラー６２は、緑色、青色ＬＥＤアレイ６１と赤色ＬＥＤアレイ６０由来の光を組合せ、コリメーターレンズ３６及び単一化オプティクス４５を介して、照射軸Ｉに沿って投射する。各ＬＥＤアレイ６０及び６１のために、追加のコリメーターレンズ３６を設ける。テレセントリックコンデンサーレンズ７０は、この照射を、ポラライザー５２を介して分極ビームスプリッター８１へとリレーしている。分極ビームスプリッター８１から反射された適切な分極状態を有する光は、空間光変調器９１にて調節され、分極ビームスプリッター８１を介して、光感受性媒体１４０上に画像を集束するプリントレンズ組立品１１０へと、アナライザー６３を介して、出力軸Ｏに沿って出力される。
【００３８】
二色性ミラー６２は、特定のフィルムやその他の光感受性媒体１４０に対して、ＬＥＤ源の特徴を適合するのを補助してもよい。例えば、二色性ミラー６２は、所望しない緑色露光を最小限にすべく、赤色放射のより短い波長をクリップすべくデザインされてもよい。これは、追加的なフィルターの必要性を取り除くであろう。
【００３９】
図１３のデザインは、光学デザイン技術における当業者になじみのある種々の変法を許容する。単一化オプティクス４５は、例えば、小型レンズアレイ、光学トンネル、インテグレーターバー、あるいは、インテグレータースフェアを備えていてもよい。マクナイル（ＭａｃＮｅｉｌｌｅ）プリズムとして示されている分極ビームスプリッター８１は、代替的にワイヤーグリッドビームスプリッターとして埋め込まれていてもよい。アナライザー６３は、かかるコントラスト比が許容されない場合であっても、必要はない。さらに、以下に記載されている光源２０の向上された、いくつかの実施例は、図１６ａから１６ｄ、図１７、又は図１８に示されたプリンター装置１００の実施例と同様に、図１３に示されたプリンター装置１００に使用されてもよい。
【００４０】
図１６ａ、１６ｂ、１６ｃ及び１６ｄを参照すると、互いに異なる色の分離した光源及び変調器を使った実施例におけるプリンティング装置１００の概略図及び斜視図を示している。特に図１６ａ、１６ｂ及び１６ｃを参照すると、光源２０、２２及び２６は、それぞれ、光（典型的には、赤色、緑色、及び青色光）を、単一化オプティクス４５、４９及び４７を介して；テレセントリックコンデンサーレンズ７０、７２、７１を介して；ポラライザー５３、５５、及び５７を介して；分極ビームスプリッター８０、８４及び８２を介して；反射性空間光変調器９０、９７及び９５へと投射する。調節された光は、分極ビームスプリッター８０、８４及び８２を介してＸキューブコンビナー８６へと透過され、分離的に調節された色ビームを、書込のために出力軸に沿って組み合わせている。図１６ｄは、プリンティング装置１００内部での、これら照射部材及び調節部材の空間的な位置取りに関する一つの例を示している。
【００４１】
図１６ａ、１６ｂ、１６ｃ及び１６ｄに示した配置において、光源２０、２２及び２６は、それぞれ、ここに開示された実施例のうちの一つに成形されたＬＥＤアレイを備えている。空間光変調器９０、９７及び９５は、反射性ＬＣＤｓである。図１６ａ、１６ｂ、１６ｃ及び１６ｄの配置は、光感受性媒体１４０に同時に露光することが可能である。このデザインは、各色で最大パワー及び色を同時に書き込むことを許容しているので、書込速度は、この配置を使用した場合、最大化されている。
【００４２】
図１７を参照すると、プリンティング装置１００のさらにその他の実施例が示されており、ここで、分離した単一色のライターモジュール６６は、各色に関して、プリントレンズ１１０へと露光を供している。各単一色ライターモジュール６６は、例えば、図１８の光学組立品１０の構造を有していてもよい。図１７に示した配置に関して、光感受性媒体１４０は、各画像フレームに関してすべての色を露光するために、一つの位置から次へとインデックスされている。三つの単一色ライターモジュール６６のすべては、連続した画像フレームに関して同時に画像化している。この配置に関して、例えば、一つの色ライターモジュール６６は、画像フレームの赤色部材を書き込む。次の色ライターモジュール６６は、続いて、緑色部材を書き込む。最後の色ライターモジュール６６は、青色部材を書き込む。この配置を使用して、画像化オプティクスは、有色の逸脱を最小限にしつつ、特定の色に関して最適化されてもよい。
（標準的な実施例−分離したＬＥＤ３２の六角形配置）
図４ｂを参照すると、本発明における、光源２０に関して、第一の実施例が、前面図として示されている。ＬＥＤマウントプレート３１は、種々の分離したＬＥＤ３２のための支持体として機能し、六角形状あるいはハニカムパターンにて配置されている。この六角形パターンは、同様の平面に、分離したＬＥＤ３２を可能な限り近接してパッキングすることを可能としている。最良の配置において、分離したＬＥＤ３２は、示しているように、１インチ四方源領域の境界内部に実質的に存在している。図４ｂの配置において、２２個の分離したＬＥＤ３２が設けられており：１２個の赤色、９個の緑色、及び１個の青色の分離したＬＥＤ３２を設けている。種々の異なる色の装置は、図３で示唆したように、光感受性媒体１６０の感受性の差異に緊密に対応している。異なる色の分離したＬＥＤ３２の数及びタイプを同定する重要な因子は、放射波長、光感受性媒体１６０の感受性、露光時間の考慮及びＬＥＤの出力パワーを含んでいる。例えば、特定の光感受性媒体１６０に関して、赤色、緑色、及び青色光に関して必要とされる露光レベルは、それぞれ、単位平方センチ当たり、１０、６及び２ｅｒｇであってもよい。例として、分離したＬＥＤ３２が同等の出力パワー及び適切な波長特性を有している場合、１０個の赤色、６個の緑色、及び２この青色の分離したＬＥＤ３２は、露光時間が同様と仮定すると、図４ｂに示したのと同様の配置に関して必要とされるであろう。
（単一基板に関する実施例）
ＬＥＤ源由来の露光エネルギ出力を増加するための代替的な解決法には、よりコンパクトな製作物を使用することを含む。それぞれ、図６ａ及び図６ｂの平面図及び側面図を参照すると、ＬＥＤアレイ１３０は、ボンドワイヤーの配列のためのチップ間の適切な間隙を残して、基板１３１上にＬＥＤチップ２５を取り付けることにより製作されていた。ＬＥＤアレイ１３０を製作するために、ＬＥＤチップ２５は、取り付けられ、配線され、その後、このＬＥＤアレイ１３０は、エポキシ又はその他の適切な防護剤にてコートされる。図６ａの例は、１４×１４チップＬＥＤアレイ１３０の製作物を示している。コリメートを供するため、ＬＥＤアレイ１３０に、標準的な小型レンズアレイ３８をＬＥＤチップ２５に配向してもよく、その後、永続的に結合してもよい。図６ａ及び６ｂに示したタイプの解決法が試みられてきたが、結果は落胆するものであった。これは、高い製作コスト及び有意な内部光の損失に起因していた。
（単一集光コーン４１によるクラスター化された実施例）
図９を参照すると、光源２０に関する別の代替的な実施例についての前面図が示されており、複数のＬＥＤを使って、単一色アレイが形成されている。図８ｂに示すように、その中心部では、単一の緑色大面積ＬＥＤ４６が集光コーン４１に設けられている。また、追加の分離したＬＥＤ３２は、ＬＥＤマウントプレート３１上に設けられている。集光コーン４１は、近接したパッキングされ収納すべくノッチされており、赤色及び青色の分離したＬＥＤ３２が隣り合っている。特に集光コーン４１と組み合わされた場合、大面積ＬＥＤ４６が常套的な分離したＬＥＤ３２と同様の輝度にて複数回点灯するので、図９の配置は、適切である。
（多重化集光コーン４１によるクラスター化された実施例）
図１０ａを参照すると、光源２０に使用するための集光コーン４１の配置を示している。この配置が示すように、光軸Ｏ上には、集光コーン４１も大面積ＬＥＤ４６も中心化されていない。したがって、この配置は、比較的非効率的であり、光軸Ｏ上に中心化されたダークスポットを伴っている。
【００４３】
図１０ｂを参照すると、多重化コーン構造１４１にて、同様の色の多重化された大面積ＬＥＤ４６を有する向上された配置の前面図が示されている。図１０ａで示したような分離した集光コーン４１を伴った配置とは異なり、多重化コーン構造１４１は、光軸Ｏに近接してより多くの放射光を投射する。
【００４４】
多重化コーン構造１４１は、複数のコーンセグメント１０１を互いにフィッティングすることにより形成される。コーンセグメント１０１は、切断されても、鋳造されても、あるいは、その他の成形の方法により形成されてもよく、その中で、コーンセグメント１０１の出力部分１０１は互いに近接されており、コンパクトな配置を供している。この配置は、照射軸上に対して、各大面積ＬＥＤ４６の貢献を最大限にしている。
【００４５】
図１０ａ及び１０ｂの例は、単一色を供している。画像化装置のいくつかのタイプに関して、個々の色光源２０は適当である。種々の代替的な配置も可能である。例えば、図１０ｃの実施例は、異なる色がクラスター内部に配置されてもよい配置を示している。ここで、赤色、緑色、及び青色の大面積ＬＥＤ４６は、多重化コーン構造１４１に供されている。代替的に、図１２では、青色の分離したＬＥＤ３２は、青色波長を供すべく、赤色及び緑色の大面積ＬＥＤ４６に関する多重化コーン構造１４１近傍に配置されている。
【００４６】
強調すべきことは、プリンティング適用に関して、キーとなるデザイン上の考慮は、種々の波長において、光感受性フィルム又はその他の媒体の相対的な感受性である。図３に示した反応を有する映画フィルム用媒体に関しては、例えば、赤色層に関する理想的な赤色波長は、６９０ｎｍである。他方、典型的な赤色ディスプレイ用ＬＥＤは、６２５から６４０ｎｍにピーク波長を有している。図３の相対的な感受性に基づいて、６９０ｎｍにて必要とされるよりも、６２５ｎｍにて必要とされる強度のおよそ４倍の強度が必要である。このことは、より低い波長値を有する赤色ＬＥＤの使用を排除するものではない；代わって、この関係は、標準的なタイプの多くの赤色大面積ＬＥＤ４６がいかに必要されるかを単純に同定している。
（大面積ＬＥＤ４６のよりコンパクトなパッケージングを許容する実施例）
発生する熱を軽減することにより、両方のＬＥＤの寿命は延長し、パワー及び輝度レベルを増加して制御することが可能となる。図１１ａを参照すると、より濃密にパッキングしかつより大型のＬＥＤを許容する、光源２０の実施例に関する側面図を示している。上述したレキセオン装置（Ｌｅｘｅｏｎ  ｄｅｖｉｃｅ）などの大面積ＬＥＤ４６は、ＬＥＤマウントプレート３１上に取り付けられている。パワー出力及び寿命の両方を増加させるために、熱電気クーラー５１をＰＥＤマウントプレート３１に接して配置する。また、発生する熱を散逸すべく、ヒートシンク５６を設ける。各大面積ＬＥＤ４６に関して、アパチャープレート５０は、対応する分離したコリメーターレンズ４６を取り付ける。図１１ａは、側面図を示している；上部から見ると、４つ以上の大面積ＬＥＤ４６は、図１０ａ及び１０ｂの実施例のように、互いにクラスター化されていてもよい。
【００４７】
図１１ｂを参照すると、放射光をコリメートし、集光するため、大面積ＬＥＤ４６をと互いに伴って使用された集光コーン４１に関する別の任意の実施例を示している。図１１ｂに示したように、集光コーン４１は、互いに近接してフィットするように成形されていてもよい。
【００４８】
図１４ａ及び図１４ｂを参照すると、光源の実施例に関して、それぞれ側面図及び斜視図が示されており、ここでは、大面積ＬＥＤ４６は、傾斜した取り付け表面６４上に配置されている。ここで、傾斜した取り付け表面６４は一般的に、照射軸Ｉに対して、凹面の形状を有している。任意で、傾斜した取り付け表面６４を成形すべく、一定の曲率半径を設けてもよい。図１４ａ及び１４ｂの配置は、照射光学軸に沿ったコリメーターレンズ３６のための理想的なアパチャーを示している位置Ｆに向かって光を投射する。
【００４９】
集光コーン４１が、大面積ＬＥＤ４６からの光を投射するのに有用な機構の一つを供する一方、他のタイプの構造を使用してもよい。例えば、適切な形状のガラスプリズムを使用してもよく、コリメート入力要素を含むべく、かつ出力へと光を投射するための内部全反射を使用すべく、それぞれ成形されている。
（集光効率を向上する実施例）
図１５を参照すると、向上した光効率のための配置が示されている。大面積ＬＥＤ４６は、広範に分散した線とコリメートする放物型リフレクター６５の焦点に配置されている。この配置は、図８ｂの集光コーンに対して向上物であり、コリメートすることなく、単に、広範に分散した線を前方へと送っている。ｆ／４のアクセプタンスコーンよりも大きな角度にて集光コーン４１を抜け出る光線は損失され、露光に貢献しない。
【００５０】
本発明は、特定の参照とともに詳細に、特定の好適実施例に関して述べてられてきたが、理解されるであろう事柄は、上述に述べたような本発明の請求範囲内にて、かつ、添付した請求項に記載したように、本発明の特許請求範囲から逸脱することなく、当業者によって、変法及び改変が効果を有していてもよい。
【００５１】
したがって、供されているのは、ＬＥＤ光源を使用した、光感受性媒体上にプリントするための向上された装置及び方法である。
【図面の簡単な説明】
【００５２】
【図１】ディスプレイに使用されるＬＥＤなどの、常套的に分離したＬＥＤに関する詳細な組立を示している。
【図２】図２ａ及び２ｂは、それぞれ、コーナー電極を用いた向上されたＬＥＤデザインにおける詳細な組立に関する、上面図及び側面図を示している。
【図３】ヒトの眼の明反応を示した標準化されたグラフを重ねあわせた、典型的な色中間ネガフィルムに関する代表的な感受性特性のグラフを示している。
【図４】図４ａは、５つの赤色、二つの緑色、及び２つの青色ＬＥＤを有するＬＥＤの３×３アレイに関する正面図を示している。図４ｂは、最大限の梱包密度に関するハニカム配置物に梱包された多重的なＬＥＤを有するアレイの正面図を示している。
【図５】図５ａは、最外側のＬＥＤに由来する一定の光がレンズによって集光されていない、ＬＥＤアレイを示した概略図である。図５ｂは、レンズのアクセプタンスコーンアングルを超えた広範な放射角度を有するＬＥＤを示した概略図である。
【図６ａ】個々のＬＥＤ要素が一般的なベースプレート上に配置されたＬＥＤアレイの上面図である。
【図６ｂ】図６ａのＬＥＤアレイの側面図であり、各ＬＥＤ要素に由来する光をコリメートするための標準的な小型レンズアレイを示している。
【図７】図７ａ及び７ｂは、それぞれ、相互に噛合った電極を有する向上されたＬＥＤに関する上面及び側面図を示している。
【図８】図８ａは、向上されたＬＥＤの断面図を示しており、図８ｂは、図８ａのＬＥＤを使用したコリメーター／リフレクター構造を示している。
【図９】異なる色彩の分離したＬＥＤにより取り囲まれている、コリメーター／リフレクター構造を伴った単一ＬＥＤを有する多色ＬＥＤアレイを示している。
【図１０】図１０ａは、改変されたコリメーター／リフレクター構造をそれぞれ有する、単一色の４つのＬＥＤにおける光源構造を示している。図１０ｂは、本発明のコリメーター／リフレクター構造をそれぞれ有する、単一色の４つのＬＥＤにおける光源構造を示している。図１０ｃは、本発明のコリメーター／リフレクター構造をそれぞれ有する、異なる色の４つのＬＥＤにおける光源構造を示している。
【図１１】図１１ａは、コリメーターレンズを有するアパチャープレートを伴った、熱電気冷却器上に取り付けられた向上された４つのＬＥＤを示している。図１１ｂは、熱電気冷却器上に取り付けられた、改変されたコリメーター／リフレクター構造をそれぞれ有する、単一色の４つのＬＥＤに関する光源構造を示している。
【図１２】多重色彩アレイを形成すべく追加的な青色ＬＥＤを伴った、図１０ａに示したのと同様の四葉構造にて、赤色及び緑色ＬＥＤを有する代替的な光源配置物を示している。
【図１３】二色性ミラーを介して組み合わされた多重化照射源を使用した、本発明に従ったプリンティング装置の概略図である。
【図１４】図１４ａは、多重化ＬＥＤを傾斜表面上に取り付けた構造を示す側面図であり、これにより、コリメーターレンズの中央に光を投射している。図１４ｂは、図１４ａに示した、傾斜表面上に取り付けられたＬＥＤを有する装置に関する透視図を示しており、ここでは、ＬＥＤは、図８ｂに示したコリメーター／リフレクター構造を有している。
【図１５】集光及びコリメートを補助すべく、コリメーターレンズ及び放物状リフレクターにて成形されたＬＥＤを示している。
【図１６】３つの空間光変調器を使用した、本発明における書込装置に関する多重的な図を示している。
【図１７】互いに分離された３つの書込ヘッドを有する代替的なプリンティング装置の概略図である。
【図１８】本発明に従ったプリンティング装置の概略図である。
【符号の説明】
【００５３】
１０  光学組立品
１２  単一化オプティクス
１４  空間光変調器
１８  集束オプティクス
２０  光源
２１  陽極リード
２２  光源
２３  陰極リード
２４  反射キャップ
２５  ＬＥＤチップ
２６  光源
２７  （シングル）ボンドワイヤー
２８  エポキシドームレンズ
２９  基板
３０  電極
３１  ＬＥＤマウントプレート
３２  分離したＬＥＤ
３４  アクセプタンスコーンアングル
３５  発光の消耗した光部分
３６  コリメーターレンズ
３８  小型レンズアレイ
４０  パターン化された電極
４１  集光コーン
４３  電気リード
４５  単一化オプティクス
４６  大面積ＬＥＤ
４７  単一化オプティクス
４８  金属製ヒートシンク
４９  単一化オプティクス
５０  アパチャープレート
５１  熱電気クーラー
５２  ポラライザー
５３  ポラライザー
５５  ポラライザー
５６  ヒートシンク
５７  ポラライザー
６０  赤色ＬＥＤアレイ
６１  緑色、青色ＬＥＤアレイ
６２  二色性ミラー
６３  アナライザー
６４  傾斜した取り付け表面
６５  放物型リフレクター
６６  単一色ライターモジュール
７０  テレセントリックコンデンサーレンズ
７１  テレセントリックコンデンサーレンズ
７２  テレセントリックコンデンサーレンズ
８０  分極ビームスプリッター
８１  分極ビームスプリッター
８２  分極ビームスプリッター
８４  分極ビームスプリッター
８６  Ｘキューブコンビナー
９０  反射性空間光変調器
９１  空間光変調器
９５  反射性空間光変調器
９７  反射性空間光変調器
１００  プリンター装置
１０１  コーンセグメント
１１０  プリントレンズ組立品
１２８  透明なプラスティック製レンズ
１３０  ＬＥＤアレイ
１３１  基板
１３４  パターン化された電極ＬＥＤ
１４０  光感受性媒体
１４１  多重化コーン構造
１６０  光感受性媒体
２０２  フィルムサプライ
２０４  露光部分
２０８  フィルム保存ユニット
２１０  制御論理プロセッサー
２１２  媒体処理サブシステム
Ｆ  位置
Ｉ  照射軸
Ｏ  出力軸
【図１】
2004220027.tif 000003
【図２】
2004220027.tif 000004
【図３】
2004220027.tif 000005
【図４】
2004220027.tif 000006
【図５】
2004220027.tif 000007
【図６ａ】
2004220027.tif 000008
【図６ｂ】
2004220027.tif 000009
【図７】
2004220027.tif 000010
【図８】
2004220027.tif 000011
【図９】
2004220027.tif 000012
【図１０】
2004220027.tif 000013
【図１１】
2004220027.tif 000014
【図１２】
2004220027.tif 000015
【図１３】
2004220027.tif 000016
【図１４】
2004220027.tif 000017
【図１５】
2004220027.tif 000018
【図１６】
2004220027.tif 000019
【図１７】
2004220027.tif 000020
【図１８】
2004220027.tif 000021